(57)【特許請求の範囲】
【請求項１】
バスケットが回転可能に支持されたフレームと、
ベッド上に立設され、上記フレームを吊り下げて、摺動させる事により水平に揺動可能に支持する支持機構とを備え、
上記支持機構は、
上記ベッド上に立設された支柱と、
上端に拡径部を有し、該拡径部が上記支柱の上面に支持され、下端が該支柱の内部に収納され、上記フレームを水平に揺動可能に支持する吊りボルトと、
上記フレームよりも下方の上記吊りボルトの下端に設けられ、該フレームが該吊りボルトから抜け落ちるのを防止する抜止部と、
上記拡径部の下面に着脱可能に取り付けられた球面ブッシュと、
上記支柱の上面に取り付けられ、上記球面ブッシュが摺動可能に収納される球面凹部を有し、上記吊りボルトを上記ベッドに対して揺動可能に支持するブッシュ受け座と、
上記吊りボルトの外周に設けられ、上記支柱の上面と上記フレームとの間に配設された緩衝部材とを有し、
上記ブッシュ受け座は、上記支柱の上面に着脱可能に取り付けられていることを特徴とするバスケット型遠心分離機。
【請求項２】
上記ブッシュ受け座は、本体部と、該本体部の上端に設けられたフランジ部とを有し、
上記支柱の上面には、上記ブッシュ受け座が嵌合される嵌合凹部が形成されており、
上記ブッシュ受け座は、上記本体部が上記嵌合凹部に嵌合されて、上記フランジ部が上記支柱の上面に当接された状態で、該支柱の上面にボルトで締結されていることを特徴とする請求項１記載のバスケット型遠心分離機。
【請求項３】
上記ブッシュ受け座には、上記吊りボルトが挿通され、該吊りボルトを揺動可能にする該吊りボルトのボルト径よりも大きな貫通孔が形成されており、
上記支柱の上面には、上記吊りボルトが挿通され、上記ブッシュ受け座の貫通孔よりも大きな貫通孔が形成されていることを特徴とする請求項２記載のバスケット型遠心分離機。
【請求項４】
上記ブッシュ受け座は、鋼材または鋳鋼で形成されていることを特徴とする請求項１乃至３のうち何れか１記載のバスケット型遠心分離機。
【発明の詳細な説明】
【技術分野】
【０００１】
本発明は、原液を固形物と液分とに固液分離するバスケット型遠心分離機に関する。
【背景技術】
【０００２】
従来のバスケット型遠心分離機１０１は、３箇所の支柱１１０によって、図４に示すように、バスケット１０２を回転可能に支持するフレーム１０３を吊りボルト１１１を介して吊り下げ支持しており、吊りボルト１１１に取り付けられた半球形状の球面ブッシュ１１２と支柱１１０の上面部１１０ａに形成されたブッシュ受け面１１０ｂとの摺動により、重心位置を保持しながら稼働している。支柱１１０の摺動面であるブッシュ受け面１１０ｂには、極端な発熱或いは摩耗を防止するために、潤滑剤を塗布しているが、経年劣化により、摩耗限度に達したものは定期的な取り替えが必要となる。
【０００３】
しかしながら、ブッシュ受け面１１０ｂは、支柱１１０の上面部１１０ａに形成されているので、取り替えるためには支柱１１０そのものを一体で取り替える必要がある。したがって、ユーザは、部品費及び作業工賃のメンテナンス費を過大支出することになる。更に、ユーザは、支柱１１０の取り替えに際し、遠心分離機本体までを一旦分解した後に支柱１１０をベッド１０４から取り外すという手順を踏むために、据付け精度の確認を含む作業による生産設備停止損失が生じ、更には仕上げ職人等の施工者の高い技量を要する。
【先行技術文献】
【特許文献】
【０００４】
【特許文献１】特開２００３−１２０７１１号公報
【発明の概要】
【発明が解決しようとする課題】
【０００５】
本発明は、以上のような課題に鑑みてなされたものであり、支柱の摺動面を容易且つ安価に取り替えることができるバスケット型遠心分離機を提供することを目的とする。
【課題を解決するための手段】
【０００６】
本発明のバスケット型遠心分離機は、バスケットが回転可能に支持されたフレームと、ベッド上に立設され、フレームを吊り下げて、摺動させる事により水平に揺動可能に支持する支持機構とを備えている。そして、支持機構は、ベッド上に立設された支柱と、上端に拡径部を有し、拡径部が支柱の上面に支持され、下端が支柱の内部に収納され、フレームを水平に揺動可能に支持する吊りボルトと、フレームよりも下方の吊りボルトの下端に設けられ、フレームが吊りボルトから抜け落ちるのを防止する抜止部と、拡径部の下面に着脱可能に取り付けられた球面ブッシュと、支柱の上面に取り付けられ、球面ブッシュが摺動可能に収納される球面凹部を有し、吊りボルトをベッドに対して揺動可能に支持するブッシュ受け座と、吊りボルトの外周に設けられ、支柱の上面とフレームとの間に配設された緩衝部材とを有している。そして、ブッシュ受け座は、支柱の上面に着脱可能に取り付けられている。
【０００７】
更に、ブッシュ受け座は、本体部と、本体部の上端に設けられたフランジ部とを有し、支柱の上面には、ブッシュ受け座が嵌合される嵌合凹部が形成されており、ブッシュ受け座は、本体部が嵌合凹部に嵌合されて、フランジ部が支柱の上面に当接された状態で、支柱の上面にボルトで締結されているようにしてもよい。
【０００８】
更に、ブッシュ受け座には、吊りボルトが挿通され、吊りボルトを揺動可能にする吊りボルトのボルト径よりも大きな貫通孔が形成されており、支柱の上面には、吊りボルトが挿通され、ブッシュ受け座の貫通孔よりも大きな貫通孔が形成されているようにしてもよい。
【０００９】
更に、ブッシュ受け座は、鋼材または鋳鋼で形成されているようにしてもよい。
【発明の効果】
【００１０】
本発明によれば、吊りボルトの拡径部の下面に取り付けられた球面ブッシュと摺動するブッシュ受け座が、支柱と別部材で設けられ、支柱の上面部に着脱可能に取り付けられている。したがって、本発明によれば、経年劣化によりこのブッシュ受け座を取り替える際には、従来のように支柱そのものを一体に取り替える必要がなく、ブッシュ受け座単体を取り替えればよい。よって、本発明によれば、従来よりも、支柱の摺動面を容易且つ安価に取り替えることができる。
【図面の簡単な説明】
【００１１】
【図１】本発明を適用したバスケット型遠心分離機の平面図である。
【図２】本発明を適用したバスケット型遠心分離機の正面図である。
【図３】本発明を適用したバスケット型遠心分離機の支持機構の縦断面図である。
【図４】従来のバスケット型遠心分離機の支持機構の縦断面図である。
【発明を実施するための形態】
【００１２】
以下、本発明を適用したバスケット型遠心分離機について、図面を参照して説明する。
【００１３】
図１乃至図３に示すように、バスケット型遠心分離機１は、バスケット２が回転可能に支持されたフレーム３と、ベッド４上に立設され、フレーム３を吊り下げて、摺動させる事によりほぼ水平に揺動可能に支持する支持機構５とを備えている。
【００１４】
フレーム３は、図１及び図２に示すように、例えば、円板状に形成されており、上面３ａの略中央部に、原液を固形物と液分とに分離するバスケット２が軸受等の回転支持部材を介して縦軸周りに回転可能に支持されている。このようなバスケット２は、フレーム３の外周３ｂに設けられた設置部３ｃに設置された駆動モータ等の駆動部６によって、プーリやタイミングベルト又はギア群等の伝達部材７を介して回転駆動される。したがって、バスケット２は、内部に供給された原液中の液分を、遠心力によって周壁の透過孔を通して排出させ、原液を固形物と液分とに分離する。なお、駆動部６は、バスケット２に直結するものでもよい。
【００１５】
また、フレーム３の上面３ａには、ケーシング８が取り付けられている。ケーシング８は、フレーム３と略同径の側面部８ｂの上端に上面部８ａを有し、下端が開口された有天円筒状に形成されている。このようなケーシング８は、上面部８ａと側面部８ｂとでバスケット２を覆うように設けられ、下端がボルト等の締結部材によってフレーム３の上面３ａに締結されている。
【００１６】
更に、フレーム３の外周３ｂには、図３に示すように、後述する支持機構５の吊りボルト１１が挿通される挿通孔３ｄが形成された取付部３ｅが設けられている。この取付部３ｅは、フレーム３の外周３ｂから半径方向外側に突出した突出片であり、図１に示すように、フレーム３の外周３ｂに、平面視二等辺三角形状となるように、３箇所に設けられている。
【００１７】
フレーム３を吊り下げ支持する支持機構５は、図３に示すように、ベッド４上に立設された支柱１０と、上端が支柱１０に支持され、フレーム３をほぼ水平に揺動可能に支持する吊りボルト１１と、吊りボルト１１に取り付けられた球面ブッシュ１２と、支柱１０の上面部１０ａに取り付けられ、球面ブッシュ１２を収納し、吊りボルト１１を揺動可能に支持するブッシュ受け座１３と、支柱１０の上面部１０ａとフレーム３との間に設けられた緩衝部材１４とを有している。
【００１８】
ベッド４は、例えば、鋼材または鋳造によって形成された鋳物であり、図１に示すように、略矩形箱状に形成されており、長手方向の一方の２つの角部が直線状に面取られている。このようなベッド４は、例えば、図２に示すように、床面２０に据え付けられている。
【００１９】
更に、図１に示すように、ベッド４上には、支柱１０が複数個立設されている。具体的に、支柱１０は、フレーム３の取付部３ｅと平面視で重なるように設けられており、フレーム３の取付部３ｅと同様に、ベッド４上に、平面視二等辺三角形状となるように、３箇所設けられている。
【００２０】
ベッド４上に立設された支柱１０は、鋼材または鋳造によって形成された鋳物であり、図３に示すように、上端に上面部１０ａを有し、下端が開口された有天円筒状に設けられており、下端の開口部の外周に設けられたフランジ部１０ｂがベッド４にボルト等の締結部材によって締結されている。すなわち、支柱１０は、ベッド４に着脱可能に取り付けられている。
【００２１】
更に、支柱１０の上面部１０ａの略中央部には、後述する吊りボルト１１が挿通される貫通孔１０ｃと、この貫通孔１０ｃと同軸で、後述するブッシュ受け座１３が嵌合される嵌合凹部１０ｄとが形成されている。更に、支柱１０の側面部１０ｅには、フレーム３の取付部３ｅが挿通される挿通部１０ｆが形成されている。
【００２２】
支柱１０の貫通孔１０ｃに挿通される吊りボルト１１は、軸部１１ａと、軸部１１ａの上端に軸部１１ａよりも径が大きな拡径部１１ｂとを有する。更に、軸部１１ａの下端には、軸部１１ａがフレーム３の取付部３ｅの挿通孔３ｄに挿通された際に、フレーム３の下方に位置し、フレーム３を抜け止めする抜止部１１ｃが設けられている。この抜止部１１ｃは、例えば、軸部１１ａの下端に形成された貫通孔１１ｄに楔部材１１ｅが差し込まれてなる。更に、拡径部１１ｂの下面には、半球面状の球面ブッシュ１２が取り付けられている。
【００２３】
吊りボルト１１の拡径部１１ｂの下面に取り付けられる球面ブッシュ１２は、上述したように、凸半球面状に形成されている。更に、球面ブッシュ１２の平坦部１２ａの略中央部には、吊りボルト１１の軸部１１ａと略同径の貫通孔１２ｂが形成されている。このような球面ブッシュ１２は、貫通孔１２ｂに吊りボルト１１の軸部１１ａを挿通させて、平坦部１２ａが吊りボルト１１の拡径部１１ｂの下面に当接されるように、軸部１１ａの外周に取り付けられている。すなわち、球面ブッシュ１２は、吊りボルト１１に着脱可能に取り付けられている。
【００２４】
支柱１０の嵌合凹部１０ｄに嵌合されるブッシュ受け座１３は、鋼材で形成されており、円柱状の本体部１３ａと、この本体部１３ａの上端に形成された本体部１３ａよりも径が大きなフランジ部１３ｂとを有する。更に、このフランジ部１３ｂの略中央部には、吊りボルト１１の軸部１１ａよりも大きな径を有する貫通孔１３ｃが形成されている。例えば、貫通孔１３ｃは、フレーム３が揺動された際に、フレーム３と当接しないように形成されている。更に、支柱１０の上面部１０ａの貫通孔１０ｃは、この貫通孔１３ｃよりもやや大きな径を有するように形成されている。更に、フランジ部１３ｂの上端側には、貫通孔１３ｃと同軸上に、吊りボルト１１に取り付けられた球面ブッシュ１２を収納する球面凹部１３ｄが形成されている。この球面凹部１３ｄは、球面ブッシュ１２の凸半球面状に対応し、球面ブッシュが収納可能な凹半球面状に形成されている。更に、フランジ部１３ｂには、本体部１３ａの軸線を中心に、ブッシュ受け座１３を支柱１０の上面部１０ａに締結するためのボルトが挿通される締結孔１３ｅが形成されている。この締結孔１３ｅは、例えば、本体部１３ａの軸線を中心に、等間隔に４個形成されている。なお、締結孔１３ｅの数及び配置位置は、適宜変更可能である。
【００２５】
このようなブッシュ受け座１３は、本体部１３ａが嵌合凹部１０ｄに嵌合されて、フランジ部１３ｂが支柱１０の上面部１０ａに当接された状態で、支柱１０の上面部１０ａにボルト等で締結されている。すなわち、ブッシュ受け座１３は、支柱１０の上面部１０ａに着脱可能に取り付けられている。
【００２６】
更に、ブッシュ受け座１３は、貫通孔１３ｃに吊りボルト１１の軸部１１ａが挿通され、球面凹部１３ｄに吊りボルト１１に取り付けられた球面ブッシュ１２を収納することで、球面ブッシュ１２を介して、吊りボルト１１の上端を支持する。このとき、ブッシュ受け座１３は、球面凹部１３ｄと球面ブッシュ１２とがともに半球面状である。したがって、ブッシュ受け座１３は、バスケット２の内部に原液が供給されたときに、原液を含むバスケット２全体の重心がバスケット２の回転軸に対してずれている場合であっても、重心のずれに応じて球面ブッシュ１２が球面凹部１３ｄに対して摺動し、吊りボルト１１がブッシュ受け座１３を支点として自由に揺動することにより、重心位置を保持しながら、バスケット型遠心分離機１全体が激しく振動を伴なって、回転駆動させることができる。
【００２７】
緩衝部材１４は、例えばバネ等の弾性部材であり、吊りボルト１１の外周に位置し、支柱１０の上面部１０ａとフレーム３との間に設けられている。このような緩衝部材１４は、フレーム３に下方向への力を加える。したがって、緩衝部材１４は、球面ブッシュ１２とブッシュ受け座１３の球面凹部１３ｄとを当接させ、フレーム３と抜止部１１ｃの楔部材１１ｅとを当接させるとともに、フレーム３の上下方向の振動を抑制する。
【００２８】
なお、支柱１０の上面部１０ａには、ブッシュ受け座１３及び吊りボルト１１の拡径部１１ｂを覆うカバー部材１５を設けるようにしてもよい。このようなカバー部材１５は、球面ブッシュ１２やブッシュ受け座１３に塵埃や水等が浸入することを防止する。更に、フレーム３の取付部３ｅの挿通孔３ｄには、挿通孔３ｄの周囲を保護する保護部材１６を設けるようにしてもよい。このような保護部材１６は、緩衝部材１４及び楔部材１１ｅから保護するとともに、吊りボルト１１の軸部１１ａと挿通孔３ｄとのガタつきを防止し、摺動性を向上させる。
【００２９】
次に、バスケット型遠心分離機１の支持機構５の球面ブッシュ１２及びブッシュ受け座１３の取り替え方法について、説明する。
【００３０】
先ず、フレーム３をクレーン等の吊上装置で吊り上げたり、フレーム３の底面３ｆにスペーサを配設して、フレーム３が上下方向に摺動しないように固定する。次いで、吊りボルト１１の抜止部１１ｃの楔部材１１ｅを貫通孔１１ｄから抜き取る。
【００３１】
次いで、カバー部材１５を、支柱１０の上面部１０ａから取り外し、吊りボルト１１を、支柱１０内から抜き取る。次いで、吊りボルト１１から球面ブッシュ１２を取り外す。そして、新たな球面ブッシュ１２を、貫通孔１２ｂに吊りボルト１１の軸部１１ａを挿通させて、平坦部１２ａが吊りボルト１１の拡径部１１ｂの下端に当接するように、軸部１１ａの外周に取り付ける。
【００３２】
次いで、ブッシュ受け座１３を支柱１０の上面部１０ａに締結しているボルトを取り外し、ブッシュ受け座１３を、支柱１０の上面部１０ａから取り外す。そして、新たなブッシュ受け座１３を、本体部１３ａが支柱１０の嵌合凹部１０ｄに嵌合されて、フランジ部１３ｂが支柱１０の上面部１０ａに当接された状態で、支柱１０の上面部１０ａにボルト等で締結して、支柱１０の上面部１０ａに取り付ける。
【００３３】
次いで、新たな球面ブッシュ１２と新たなブッシュ受け座１３の球面凹部１３ｄに、摩耗を防止するために、潤滑剤を塗布する。そして、新たな球面ブッシュ１２が取り付けられた吊りボルト１１の軸部１１ａを、新たなブッシュ受け座１３の貫通孔１３ｃ、支柱１０の上面部１０ａの貫通孔１０ｃ、緩衝部材１４、フレーム３の取付部３ｅの挿通孔３ｄの順に挿通させる。そして、新たな球面ブッシュ１２を、新たなブッシュ受け座１３の球面凹部１３ｄに収納する。これにより、新たなブッシュ受け座１３は、新たな球面ブッシュ１２を摺動可能に支持し、吊りボルト１１の上端をベッド４に対して揺動可能に支持する。
【００３４】
次いで、フレーム３の下方に位置する吊りボルト１１の軸部１１ａの下端の貫通孔１１ｄに、楔部材１１ｅを差し込み、フレーム３を抜け止めする。これにより、吊りボルト１１の軸部１１ａは、フレーム３を支持する。そして、カバー部材１５を支柱１０の上面部１０ａに取り付ける。以上のようにして、バスケット型遠心分離機１の球面ブッシュ１２及びブッシュ受け座１３を取り替える。
【００３５】
本発明を適用したバスケット型遠心分離機１によれば、フレーム３を吊り下げ支持する吊りボルト１１に取り付けられた球面ブッシュ１２と摺動するブッシュ受け座１３が、支柱１０と別部材で設けられ、支柱１０の上面部１０ａに着脱可能に取り付けられている。したがって、本発明を適用したバスケット型遠心分離機１によれば、従来のブッシュ受け面１１０ｂが支柱１１０に形成されたもののように、支柱１１０までも取り替える必要がなく、ブッシュ受け座１３単体を取り替えればよい。よって、本発明を適用したバスケット型遠心分離機１によれば、部品費を低減し、取り外し及び取り付け作業を簡素化することができ、容易且つ安価に取替作業を行うことができる。
【００３６】
更に、本発明を適用したバスケット型遠心分離機１によれば、ブッシュ受け座１３が、従来の鋳鉄製の支柱１１０に形成されたブッシュ受け面１１０ｂよりも機械的強度に優れた鋼材で形成されているので、従来よりも、耐久性や耐摩耗性の向上を図ることができる。したがって、本発明を適用したバスケット型遠心分離機１によれば、従来よりも、支柱１０の摺動面を取り替える間隔が長くなり、コストを低減することができる。
【００３７】
なお、本発明を適用したバスケット型遠心分離機１のバスケット２は、固液分離するものに限定されるものではなく、原液中の２液を液液分離するものであってもよい。
【符号の説明】
【００３８】
１  バスケット型遠心分離機、２  バスケット、３  フレーム、３ａ  上面、３ｂ  外周、３ｃ  設置部、３ｄ  挿通孔、３ｅ  取付部、３ｆ  底面、４  ベッド、５  支持機構、６  駆動部、７  伝達部材、８  ケーシング、８ａ  上面部、８ｂ  側面部、１０  支柱、１０ａ  上面部、１０ｂ  フランジ部、１０ｃ  貫通孔、１０ｄ  嵌合凹部、１０ｅ  側面部、１０ｆ  挿通部、１１  吊りボルト、１１ａ  軸部、１１ｂ  拡径部、１１ｃ  抜止部、１１ｄ  貫通孔、１１ｅ  楔部材、１２  球面ブッシュ、１２ａ  平坦部、１２ｂ  貫通孔、１３  ブッシュ受け座、１３ａ  本体部、１３ｂ  フランジ部、１３ｃ  貫通孔、１３ｄ  球面凹部、１３ｅ  締結孔、１４  緩衝部材、１５  カバー部材、１６  保護部材、２０  床面
【図１】
0005637516.tif 000002
【図２】
0005637516.tif 000003
【図３】
0005637516.tif 000004
【図４】
0005637516.tif 000005